(57)【要約】【課題】開示の技術は、金型の使用状況や金型の場所などを、簡便に把握できるようにすることで、資産価値のある金型を適切に管理できる技術を提供することを目的とする。【解決手段】開示の技術は、金型に取り付けられ、前記金型のショット数をカウントするショットカウンタを特定するショットカウンタのＩＤ又は金型のＩＤのイメージと前記ショット数を表示するカウンタのイメージとが含まれる画像を撮像する手順と、前記画像が撮像されたときの前記携帯端末の位置と時刻とを取得する手順と、前記画像から得られた前記ＩＤのイメージと前記カウンタのイメージとから、前記ＩＤと前記ショット数とを認識する手順と、認識された、前記ＩＤ及び前記ショット数、並びに前記位置及び前記時刻を含む前記金型の状況に関する情報を金型の管理装置に伝達する手順と、を前記金型の管理装置に通信可能に無線接続された携帯端末に実行させる携帯端末プログラムを提供する。【選択図】図３
2020151724.tif 000002
【特許請求の範囲】
【請求項１】
金型の管理装置に通信可能に無線接続された携帯端末に実行させる携帯端末プログラムであって、
前記金型に取り付けられ、前記金型のショット数をカウントするショットカウンタを特定するショットカウンタのＩＤ又は金型のＩＤのイメージと前記ショット数を表示するカウンタのイメージとが含まれる画像を撮像する手順と、
前記画像が撮像されたときの前記携帯端末の位置と時刻とを取得する手順と、
前記画像から得られた前記ＩＤのイメージと前記カウンタのイメージとから、前記ＩＤと前記ショット数とを認識する手順と、
認識された、前記ＩＤ及び前記ショット数、並びに前記位置及び前記時刻を含む前記金型の状況に関する情報を前記管理装置に伝達する手順と、
を前記携帯端末に実行させる携帯端末プログラム。
【請求項２】
前記伝達する手順は、
前記認識する手順で、認識に異常が発生した場合、又は前記管理装置からの指示があった場合に、前記画像を前記管理装置に送信する手順を含む、
請求項１に記載の携帯端末プログラム。
【請求項３】
認識された前記ＩＤに基づいて、前記金型の保管位置を表示する手順、
を更に前記携帯端末に実行させる請求項１又は２に記載の携帯端末プログラム。
【請求項４】
金型の検索を受け付け、検索結果を表示タッチパネルに表示する手順と、
前記表示タッチパネルを操作する操作者からの検索結果の選択指示に基づいて、選択された第１の金型を特定する手順と、
前記第１の金型の特定に応答して、前記第１の金型の保管される位置又は前記第１の金型の画像が撮像された前記携帯端末の位置を表示する手順と、
を更に前記携帯端末に実行させる請求項１ないし３のうちいずれか１項に記載の携帯端末プログラム。
【請求項５】
第２の金型の状況に関する情報が、あらかじめ定められた時刻までに前記管理装置に伝達されたか否かの確認結果を得る手順と、
前記確認結果が否定的である場合、前記第２の金型の状況に関する情報を取得するよう、報知する手順と、
を更に前記携帯端末に実行させる請求項１ないし４のうちいずれか１項に記載の携帯端末プログラム。
【請求項６】
前記確認結果を得る手順は、
前記管理装置において行われた確認による前記確認結果を受信する手順を含む、
請求項５に記載の携帯端末プログラム。
【請求項７】
複数の金型の各々に取り付けられた各ショットカウンタの各画像を撮像する携帯端末から得られた、各金型の状況に関する情報であって、各ショットカウンタ又は各金型のＩＤ及びショット数、並びに前記各画像が撮像された時の前記携帯端末の位置及び時刻を含む、各金型の状況に関する情報を前記携帯端末から収集する手順と、
取得された前記状況に関する情報を用いて、前記各金型の状況に異常を検出する手順と、
前記異常を報知する手順と、
を管理装置に実行させる管理装置プログラム。
【請求項８】
前記異常を報知する手順は、
前記各金型の状況に関する情報から、ショット数が規定値を超えている金型を検出すること、金型の存在する位置が所定の位置とは異なる金型を検出すること、ショット数が所定のショット数の予測値と乖離している金型を検出すること、所定のスケジュールで前記状況に関する情報が得られない頻度が所定の頻度を超えている金型を検出すること、のうち少なくともいずれか１つを検出した場合に異常と判断する手順を含む、
請求項７に記載の管理装置プログラム。
【請求項９】
請求項１ないし６のいずれか１項に記載の前記携帯端末プログラムを前記携帯端末に配信する手順と、
請求項７又は８に記載の前記管理装置プログラムを、前記管理装置にインストールする手順と、
を含む、金型管理システムを製造する方法。
【発明の詳細な説明】
【技術分野】
【０００１】
本発明は、生産設備管理システム及びプログラムに関する。
【背景技術】
【０００２】
金型とは、製品を量産するために作られる金属製の型である。金型には、金属材料を打ち抜いたり曲げたりするプレス金型、圧力を加え材料を変形させる鍛造型、高温で溶かした鉄やプラスチックを流し込んで冷やし固めて成形する鋳造型などがある。
【０００３】
これらの金型は、同じ形状の製品や同じ部品を作るのに適している。また、金型自体が精密に作られて、長期間の使用にも耐えるため、金型を使って製造された製品の精度は非常に高い。
また、このように精密な金型を作るには、高度な技術と熟練が必要であり、金型自体が高価であり、資産としての管理を十分行うことが必要である。
【０００４】
なお、金型自体の寿命は比較的長いが、徐々に摩耗してゆくため、使用回数には限界が存在し、金型の寿命がある。なお、定期的なメンテナンスを施すことにより、金型の寿命を延ばすことができるので、金型の状態を定期的に点検することが重要である。
【０００５】
また、国内外を含め、金型の所有者が、生産拠点に金型を貸し与えて、製品の生産を委託することも行われている。このような場合には、委託先が適切に金型を使用しているかを把握することも重要である。
【０００６】
金型の使用回数をショット回数と呼ぶ。金型を貸し与えた委託先においては、金型の管理が十分に行なえないことがあり、ショット回数と、製造された製品の個数が異なるようなことが発生することもある。このような場合には、委託先による金型の不正使用が行われている可能性を示唆するものである。
【０００７】
また、金型は、使用していないときには、所定の保管場所に保存することとなる。工場によっては、金型の個数が多い場合もある。また、古い金型を保存している場合もある。このような場合には、金型の管理が十分に行えず、金型の不正貸し出しが行われたり、誤って金型を廃棄してしまったり、金型自体の保管場所が分からなくなってしまったりすることも発生する。
従来技術としては、金型自体にデータを保持させることにより、金型の管理を行う技術が存在する。
また、金型にＲＦＩＤタグを取り付けて、金型の管理を行う技術も存在する。
【先行技術文献】
【特許文献】
【０００８】
【特許文献１】特開平２−２９９７２６号公報
【特許文献２】特開２００３−１６４９２８号公報
【発明の概要】
【発明が解決しようとする課題】
【０００９】
開示の技術は、金型の使用状況や金型の場所などを、簡便に把握できるようにすることで、資産価値のある金型を適切に管理できる技術を提供することを目的とする。
【課題を解決するための手段】
【００１０】
開示の技術は、金型の管理装置に通信可能に無線接続された携帯端末に実行させる携帯端末プログラムであって、前記金型に取り付けられ、前記金型のショット数をカウントするショットカウンタを特定するショットカウンタのＩＤ又は金型のＩＤのイメージと前記ショット数を表示するカウンタのイメージとが含まれる画像を撮像する手順と、前記画像が撮像されたときの前記携帯端末の位置と時刻とを取得する手順と、前記画像から得られた前記ＩＤのイメージと前記カウンタのイメージとから、前記ＩＤと前記ショット数とを認識する手順と、認識された、前記ＩＤ及び前記ショット数、並びに前記位置及び前記時刻を含む前記金型の状況に関する情報を前記管理装置に伝達する手順と、を前記携帯端末に実行させる携帯端末プログラムを提供する。
【００１１】
他の開示の技術は、複数の金型の各々に取り付けられた各ショットカウンタの各画像を撮像する携帯端末から得られた、各金型の状況に関する情報であって、各ショットカウンタ又は各金型のＩＤ及びショット数、並びに前記各画像が撮像された時の前記携帯端末の位置及び時刻を含む、各金型の状況に関する情報を前記携帯端末から収集する手順と、取得された前記状況に関する情報を用いて、前記各金型の状況に異常を検出する手順と、前記異常を報知する手順と、を管理装置に実行させる管理装置プログラムを提供する。
【００１２】
また、他の開示の技術は、携帯端末プログラムを前記携帯端末に配信する手順と、管理装置プログラムを、管理装置にインストールする手順と、を含む、金型管理システムを製造する方法を提供する。
【発明の効果】
【００１３】
開示の技術によれば、金型の使用状況や金型の場所などを、簡便に把握できるようになり、資産価値のある金型を適切に管理できる技術を提供することができる。
【図面の簡単な説明】
【００１４】
【図１】一実施形態の構成を示す図である。
【図２】ショットカウンタの動作を示す図である。
【図３】携帯端末を用いて、ショットカウンタを撮像している図である。
【図４】携帯端末と、管理装置との接続を示す図である。
【図５】携帯端末を用いて、金型の情報を表示させる例を示した図である。
【図６】携帯端末を用いて、金型の情報を表示させる別の例を示した図である。
【図７】管理装置に格納されている金型の情報の一例を示す図である。
【図８】金型の情報を管理装置に伝達するフローを示す。
【図９】携帯端末によって、金型の情報を検索するフローを示す。
【図１０】管理装置による金型の情報収集を行うフローを示す。
【図１１】管理装置によって収集された金型の情報の異常を検知するフローを示す。
【図１２】携帯端末及び管理装置のハードウェア構成を示す図である。
【発明を実施するための形態】
【００１５】
以下に、図面を参照しながら、開示の技術を説明する。
【００１６】
図１は、一実施形態の構成を示す図である。通常、金型は固定部１２０と可動部１１０との二つに分かれる。駆動力Ｆにより可動部１１０が固定部１２０に接近して、両者が密着することによって、密着された内部で、金型の有する凹凸１１２によって目的の製品が形成される。図１においては、可動部１１０にショットカウンタ１３０が固定されている。なお、凹凸１１２は、固定部１２０にも存在する（不図示）。固定の手法は、固定穴１３１及び固定穴１３４に固定ピンを貫通させることで固定されている。固定ピンは、ショットカウンタ１３０が取り外せないようになっている。
【００１７】
固定部１２０には、ショットブロック１４０が設置される。ショットブロック１４０にも、固定穴１４１及び固定穴１４４がある。固定ピンを用いることで、ショットブロック１４０と固定部１２０が結合される。なお、金型の形状によっては、ショットブロックの代用となる部分が固定部１２０自体に存在する場合がある。この場合には、ショットブロック１４０を設置する必要はない。
【００１８】
ショットカウンタ１３０には、カウントピン１３６が存在する。可動部１１０が移動することによって、カウントピンがショットブロック１４０に当接する。可動部１１０が更に固定部１２０に近づくと、カウントピン１３６がショットカウンタ１３０内に押し込まれるようになっている。カウントピン１３６が押し込まれた際に、カウンタ１３２がカウントアップする。ショットカウンタ１３０のメカニズムは、繰り返し往復移動を繰り返す可動部の機械的な振動に耐えうるように設計されている。カウンタ１３２は、可動部が１回往復移動するごとに１だけカウントアップするようになっている。可動部の１回の往復移動を１ショットと呼び、カウンタのカウント数をショット数とも呼ぶ。
【００１９】
また、ショットカウンタ１３０には、ショットカウンタ１３０に固有に割り当てられたシリアルナンバー１３３が刻印されている。シリアルナンバー１３３は、ショットカウンタ１３０毎にユニークに割り当てられる。したがって、シリアルナンバー１３３によって、ショットカウンタ１３０が特定できると共に、ショットカウンタ１３０が設置された金型の可動部１１０及び固定部１２０のセットが特定できる。
【００２０】
なお、可動部１１０と固定部１２０とのペアで構成される金型には、通常、金型固有の金型番号が別途設定されている。この金型番号は、金型に刻印されていたり、金型番号を付したプレートが強固に金型に接着されていたりする。この金型番号も金型を特定し、管理するために利用される。
【００２１】
金型にショットカウンタ１３０が取り付けられていれば、ショットカウンタのシリアルナンバー１３３と金型番号とは、１対１に対応することとなる。ショットカウンタのシリアルナンバー１３３と金型番号とを紐づける対応表を持つことによって、金型番号及びショットカウンタのシリアルナンバー１３３のいずれであっても、金型を特定することができる。
ショットカウンタのシリアルナンバー１３３は、ショットカウンタＩＤの一例である。
【００２２】
図２は、ショットカウンタ１３０の動作を示す図である。図２（ａ）では、カウントピン１３６が突出している状態である。図２（ｂ）では、駆動力Ｆにより可動部１１０が固定部１２０に接近して、両者が密着するため、カウントピン１３６が押し込まれた状態となる。この時にカウンタの値１３２ａ「００００２５６」が、カウンタの値１３２ｂ「００００２５７」にカウントアップされる。このカウントアップ値「１」は１ショットであることを示す。
【００２３】
図３は、携帯端末２００を用いて、ショットカウンタ１３０を撮像している図である。携帯端末には、撮像されたショットカウンタ１３０ｘが表示されており、ショットカウンタ１３０ｘのカウンタ１３２ｘ及びシリアルナンバー１３３ｘが撮像されている。なお、カウンタ１３２ｘ及びシリアルナンバー１３３ｘが１つの画像に撮像されることが望ましい。なぜなら、カウンタ１３２ｘの画像とシリアルナンバー１３３ｘとが、異なる画像によって取得される場合には、携帯端末２００の不正な操作によって、異なるショットカウンタのカウンタ１３２ｘの画像とがシリアルナンバー１３３ｘの画像とがペアリングされるように撮像を行うことも可能となる。なお、異なるショットカウンタのカウンタ１３２ｘの画像とシリアルナンバー１３３ｘの画像とが異なる画像とならざるを得ない場合には、両者の画像の撮像時刻の間隔があまりにも長い場合には、それ察知するなどの対策を施せばよい。或いは、二つの画像が撮像されている様子の動画を不定期に取得するなどして、不正が行われていないかを、目視チェックするか、ＡＩを利用して監視するなどの方法も採用することが望ましい。動画を撮像する指示は、携帯端末によってランダムに行われてもよいし、携帯端末からのデータを収集する管理装置の指示によって行われてもよい。
【００２４】
また、シリアルナンバー１３３の代わりに、金型番号（不図示）の画像を撮像するようにしてもよい。なお、金型番号は、ショットカウンタ１３０とは離れた位置に存在する場合があるため、上述した複数の画像を撮像した場合の対処が必要となる場合がある。
【００２５】
なお、携帯端末２００には、カウンタ１３２ｘの画像とシリアルナンバー１３３ｘの画像とから、文字認識の技術を用いて、カウント値とシリアルナンバーとを認識する機能が装備されている。文字認識技術においては、利用されるショットカウンタ１３０の機種に応じて最適化された文字認識が行えるよう、ＡＩを用いた学習済みの認識モデルを用いることが望ましい。学習は、携帯端末２００から得られた画像を管理装置にて収集して、学習させるようにしてもよい。
【００２６】
図４は金型管理システムであり、携帯端末２００と、管理装置３００との接続を示す図である。携帯端末は、種々の無線技術を用いて管理装置３００と通信を行うことができる。また、携帯端末２００は、ＧＰＳ及びその他の位置取得手段を用いて、携帯端末２００の位置を取得することができる。画像が撮像されたときに取得された位置は、金型の位置の情報として用いることができる。また、画像が撮像されたときに取得された時刻は、金型の画像を撮像して得られた金型の状況を示す情報の取得された時刻として用いることができる。
【００２７】
図５は、携帯端末２００を用いて、金型の情報を表示させる例を示した図である。金型の数が増えてゆくと、使用したい金型の保管位置などの金型の情報を確認するのにも多くの労力と時間がかかることがある。
【００２８】
図５は、検索機能を利用して、金型の保管位置や、金型の状況を表示させる画面の例である。図５（ａ）は、検索用の画面である。検索には、金型により作成される製品名、金型番号の一部、ショットカウンタ１３０のシリアル番号の一部、部品名などが利用できるようにすることが望ましい。図５（ａ）では、検索文字として、製品名である「子供用スプーン」が入力されている。
【００２９】
図５（ｂ）は、その検索結果である。検索により、４つの金型が検索結果として出力されている。検索結果が多ければ、検索結果をスクロール表示できるようにしてもよい。操作者は、検索結果から、表示タッチパネル操作して、目的の金型の欄をタッチするなどして、金型を指定できるようにすることが望ましい。図５（ｂ）では、Ｎｏ１の「子供用スプーン先」の金型が、操作者により選択される。
【００３０】
図５（ｃ）は、Ｎｏ１の「子供用スプーン先」の金型の情報が表示されている。操作者は、金型の存在場所（金型の位置）を知るためには、「保管位置」或いは「装着マシン」の欄を調べればよい。この例の場合には、金型は、Ａ棟第7機のマシンに装着されており、保管位置には存在しないことが分かる。また、ショット数を参照することによって、金型の状態がメンテナンス時期に来ているか、金型の寿命の時期が近いかなどが分かる。或いは、そのような情報を、放置するようにしてもよい。金型ＩＤ或いはショットカウンタＩＤの項目を確認することによって、探し当てた金型が、確かに目的の金型であるか否かを確認できる。
このようにして、携帯端末２００を利用して、金型の使用する現場において、適切な金型を探すことや、金型の状態を確認することが容易に行える。
【００３１】
なお、表示される情報は、携帯端末２００内にあるデータベースに格納されていてもよいし、管理装置３００内にあるデータベースに問い合わせるようにしてもよい。
【００３２】
図６は、携帯端末２００を用いて、金型の情報を表示させる別の例を示した図である。図６（ａ）は、携帯端末２００を用いて、金型のショットカウンタ１３０を撮像した様子を示している。携帯端末は、撮像された画像から、ショットカウンタ１３０のシリアルナンバー１３３を認識する。認識されたシリアルナンバー１３３をキーにして、金型が検索される。図６（ｂ）は、検索結果を示した図である。撮像されたショットカウンタ１３０が装着された金型の金型名、金型ＩＤ、保管位置、装着マシンが表示されている。表示される情報は、これらに限られるものではない。
【００３３】
金型が、装着マシンに設置されていない場合には、装着マシンの欄は、空欄となることが望ましい。なお、金型をマシンに装着するときに、携帯端末２００を用いて、操作者が装着マシンのプレートなどを撮像して装着マシンを携帯端末２００に識別させるか、操作者が装着するマシンを入力して、金型と装着マシンを紐づけるようにすることが望ましいい。また、金型を装着マシンから取り外す場合は、取り外した旨を、携帯端末から操作者が入力するようにすることが望ましい。
【００３４】
例えば、使用している金型による部品の製造が一段落し、金型を保管位置に戻すときには、まず操作者は、ショットカウンタ１３０を携帯端末２００で撮像する。携帯端末２００は、認識されたシリアルナンバーを基に、図６（ｂ）の情報を表示する。操作者は、金型の保管位置に基づいて、金型を保管位置に戻すと共に、金型を保管位置に戻した旨を携帯端末２００に入力する。携帯端末２００には、金型を保管位置に戻したことを入力するためのタッチボタンが表示されるようにしてもよい（不図示）。
【００３５】
なお、定時に携帯端末２００でショットカウンタ１３０を撮像して、ショット数を管理装置３００に送信する必要がある場合には、認識されたカウント値が自動的に、シリアルナンバー１３３と共に管理装置３００に送信されるようにしてもよい。
【００３６】
図７は、管理装置３００に格納されている、金型の情報の一例を示す図である。管理装置３００に格納された金型の情報は管理装置３００の表示画面に表示される。図７に示す表には、異常情報の欄が設けられている。例えば、Ｎｏ２の金型は、「現場所」と「登録場所」の相違が明らかになったため、「場所相違」が表示されており、金型が本来の場所にないことが報知されている。そして、アクション欄には、場所相違となっている理由確認のために既に電話をかけており、回答待ちの状態であることが分かる。
【００３７】
また、Ｎｏ３の金型は、異常情報としてショット数減が格納されており、これは、ショット数の時間的推移が減少していることを示している。通常、ショット数は、時間と共に減少することはない。ショット数が減少していることは、計測ミスが発生しているか、何らかの不正行為が発生していることを推認させる。このため、ショット数減の報知がなされている。特に委託先に貸し出された金型の場合には、生産予定数量よりも多くの商品を金型により製造し、余剰の製品を製造してしまうなどの不正が行われていることを発見できる場合がある。アクション欄には、検査員が派遣される予定が格納されている。
【００３８】
また、Ｎｏ４の金型では、定期的にショット数を管理装置に送信し報告することが義務付けられているにもかかわらず、その報告が行われず、遅延していることが報知されている。アクション欄には、情報の取得指示が行われたことが格納されている。
【００３９】
このような報知は、あらかじめ定められた規則との照合によって、自動的になされることが望ましい。また、アクション欄は、自動的な電話発信、ＳＭＳ（電話網でのショートメッセージ）、メール発信などが自動的になされるよう、設定されていることが望ましい。なお、人を介することが必要なアクションについては、報知のときに、人的なアクションが必要であることを促す報知がなされるようにすることが望ましい。このような設定は、携帯端末２００から取得される情報を基に、設定された条件と比較するプログラムを動作させるようにすればよい。
図８は、金型の情報を管理装置３００に伝達するフローを示している。以下にフローを説明する。
【００４０】
［Ｓ８０２］携帯端末２００により、ショットカウンタ１３０の画像が撮像される。処理は、ステップＳ８０４に移る。撮像は、管理装置３００からの強制的な指示により携帯端末２００の操作者に報知されてもよい。例えば、不正行為が疑われる場合や、カウント値の異常値が管理端末によって取得されている場合に、管理装置から、画像を取得するべき旨が報知される。
【００４１】
［Ｓ８０４］撮像されたカウンタ１３２の画像と、シリアルナンバー１３３の画像とから、カウント値とシリアルナンバーが認識される。処理は、ステップＳ８０６に移る。
【００４２】
［Ｓ８０６］認識にエラーがあるか否かがチェックされる。エラーがあれば（ＹＥＳ）ステップＳ８０２に戻る。エラーが無ければ（ＮＯ）ステップＳ８０８に移る。
［Ｓ８０８］画像が取得されたときの時刻及び位置が取得される。処理は、ステップＳ８１０に移る。
［Ｓ８１０］以上のステップで取得された、金型の情報が、携帯端末２００から管理装置３００に送信される。
以上の手順によって、金型の情報が、携帯端末２００から管理装置３００に送信される。
図９は、携帯端末２００によって、金型の情報を検索するフローを示している。以下に、フローを説明する。
【００４３】
［Ｓ９０２］金型に関する情報の一部が携帯端末２００に入力されると、携帯端末２００が入力された情報によって、金型のデータベースを検索する。処理はステップＳ９０４に移る。
［Ｓ９０４］検索された金型が、携帯端末２００に表示される。処理はステップＳ９０６に移る。
［Ｓ９０６］表示された金型の検索結果が、操作者によって選択されると、選択された金型が特定される。処理は、ステップＳ９０８に移る。
［Ｓ９０８］特定された金型の保管位置等の金型の情報が表示される。操作者は、例えば、金型の保管位置の情報によって、所望の金型を迅速に入手することができる。
【００４４】
以上の手順によって、現場における金型の管理が適切に行えると共に、目的の金型を迅速に入手することができる。また、使用が一段落した金型を適切な保管位置に戻すことができる。
図１０は、管理装置３００による金型の情報収集を行うフローを示す。以下に、そのフローを説明する。
【００４５】
［Ｓ１００２］管理装置３００は、所定の時刻までに、金型の情報が取得できたか否かをチェックする。なお、この処理は、携帯端末２００によって行われることも可能である。処理はステップＳ１００４に移る。
【００４６】
［Ｓ１００４］管理装置３００は、適切な携帯端末に向けて、金型の情報を取得するべきことを報知する。なお、この処理は、携帯端末２００によって行われることも可能である。処理はステップＳ１００６に移る。
【００４７】
［Ｓ１００６］操作者が操作する携帯端末２００によって、ショットカウンタ１３０の画像が撮像され、金型の種々の情報が取得される。取得された金型の情報は、管理装置３００に送信される。
以上の手順によって、管理装置３００によって、適切に金型の情報が収集される。
【００４８】
図１１は、管理装置３００によって、収集された金型の情報の異常を検知するフローを示す。以下にそのフローを説明する。なお、このフローは、一連のフローとして記述されているが、それぞれの判断手順が単独に動作してもよいし、複数同時に動作してもよい。或いは、重畳して動作してもよい。
【００４９】
［Ｓ１１０２］ショット数（カウント値）が規定値を超えている金型を検出したか否かがチェックされる。ＹＥＳの場合は、ステップＳ１１１０に移る。他の場合は、ステップＳ１１０４に移る。
【００５０】
［Ｓ１１０４］金型の所在地が所定の位置と異なるか否かがチェックされる。ＹＥＳの場合は、ステップＳ１１１０に移る。ＮＯの場合は、ステップＳ１１０６に移る。
【００５１】
［Ｓ１１０６］金型のショット数が所定の予測値と異なるか否かがチェックされる。ＹＥＳの場合は、ステップＳ１１１０に移る。ＮＯの場合は、ステップＳ１１０８に移る。
【００５２】
［Ｓ１１０８］所定のスケジュールで金型の情報が取得できない頻度が所定頻度を超えているか否かがチェックされる。（或いは、所定の時刻までに金型の情報が取得できていないかがチェックされてもよい。）ＹＥＳの場合は、ステップＳ１１１０に移る。ＮＯの場合は、処理を終了する。このチェック結果は、確認結果の一例である。
［Ｓ１１１０］それぞれの状況を報知し、その異常を解決するよう端末の操作者に促す。
以上の手順によって、金型の適切な管理が担保される。
【００５３】
図１２は、携帯端末及び管理装置のハードウェア構成を示す図である。携帯端末及び管理装置は、ＣＰＵ１２０２、ＲＯＭ１２０４、ＲＡＭ１２０６、通信インタフェース１２０８、表示インタフェース１２０９、外部記憶インタフェース１２１０、入力インタフェース１２１２、音響インタフェース１２１４を含む。
【００５４】
ＣＰＵ１２０２は、実施形態のプログラム（携帯端末プログラム、管理端末プログラム）を実行するために、種々のハードウェアと協調して動作する。ＲＯＭ１２０４及びＲＡＭ１２０６は、プログラム及びデータを保存する。通信インタフェース１２０８は、携帯端末２００と管理装置３００のそれぞれの通信処理を行う。通信媒体としては、電話網、インターネット、ブルートゥース（登録商標）、ＷｉＦｉ（登録商標）等の様々な通信媒体を取り扱うことが可能である。
【００５５】
表示インタフェース１２０９は、操作者に対する情報の提示、報知、入力ボタン、アイコンなどを表示する表示装置を制御する。外部記憶インタフェース１２１０は、外部メモリ１２１１と、データの授受を行う。外部メモリ１２１１には、ＵＳＢメモリ、ＤＶＤ−ＲＯＭなどのnon-transitoryな媒体とのデータ交換を行う。
入力インタフェース１２１２は、タッチパネル、キーボード、マウス、ボタンなどからの情報を取得する。
音響インタフェースは、音の入力、音の出力を行う。音による報知、音声による入力なども行える。
【００５６】
以上、開示の技術について説明した。個々のフローにおける手順は、矛盾の無い限り順番を入れ換えることができる。また、同時に実行することもできる。個々の実施形態は排他的なものでは無く、一部の実施形態を他の実施形態と組み合わせることも当然に開示の技術に含まれる。
発明は、添付の特許請求の範囲及びその均等物により保護される。
【符号の説明】
【００５７】
１１０  可動部
１２０  固定部
１３０  ショットカウンタ
１３１  固定穴
１３２  カウンタ
１３３  シリアルナンバー
１３４  固定穴
１３６  カウントピン
１４０  ショットブロック
１４１  固定穴
１４４  固定穴
２００  携帯端末
３００  管理装置
【図１】
2020151724.tif 000003
【図２】
2020151724.tif 000004
【図３】
2020151724.tif 000005
【図４】
2020151724.tif 000006
【図５】
2020151724.tif 000007
【図６】
2020151724.tif 000008
【図７】
2020151724.tif 000009
【図８】
2020151724.tif 000010
【図９】
2020151724.tif 000011
【図１０】
2020151724.tif 000012
【図１１】
2020151724.tif 000013
【図１２】
2020151724.tif 000014